(57)【特許請求の範囲】
【請求項１】
電気的に絶縁された接点信号の送受信を行う送受信部を有する接点信号送受信装置であって、
前記接点信号の送受信を行うための複数の信号端子が設けられていて、
前記送受信部は、
前記複数の信号端子の中の少なくとも１つの信号端子を、前記接点信号を入力するための入力用端子、および前記接点信号を出力するための出力用端子のいずれか一方に選択して設定する入出力切替手段と、
受信用の電源が自身に設けられているか否かの設定、送信用の電源が自身に設けられているか否かの設定、および、前記接点信号を流す方向の設定を行う送受信方式設定手段と、を有すること
を特徴とする接点信号送受信装置。
【請求項２】
請求項１に記載の接点信号送受信装置であって、
前記送受信部が行う設定信号の送受信を制御する制御部を有し、
前記入出力切替手段は、前記入力用端子および出力用端子のいずれか一方への選択を前記制御部からの電気信号にしたがい行うこと
を特徴とする接点信号送受信装置。
【請求項３】
請求項２に記載の接点信号送受信装置であって、
前記送受信方式設定手段は、前記受信用の電源が自身に設けられているか否かの設定、送信用の電源が自身に設けられているか否かの設定、および、前記接点信号を流す方向の設定を前記制御部からの電気信号にしたがい行うこと
を特徴とする接点信号送受信装置。
【請求項４】
電気的に絶縁された接点信号の送受信を行う送受信部を有する接点信号送受信装置であって、
前記接点信号の送受信を行うための複数の信号端子を有するポートを有し、
前記ポートは、前記接点信号で通信を行う通信対象機器毎に複数設けられていて、
前記ポート毎に、前記ポートが有する複数の信号端子の中の少なくとも１つの信号端子を、前記接点信号を入力するための入力用端子、および前記接点信号を出力するための出力用端子のいずれか一方に選択して設定する入出力切替手段と、
前記ポート毎に、受信用の電源が自身に設けられているか否かの設定、送信用の電源が自身に設けられているか否かの設定、および、前記接点信号を流す方向の設定を受付ける送受信方式設定手段と、を有すること
を特徴とする接点信号送受信装置。
【請求項５】
請求項４に記載の接点信号送受信装置であって、
前記設定信号の送受信を制御するためのマイコンが設けられた制御部を有し、
前記ポートが有する複数の信号端子への接点信号のアサインを前記マイコンのプログラムにより変更できること
を特徴とする接点信号送受信装置。
【請求項６】
請求項４に記載の接点信号送受信装置であって、
前記ポートには、前記通信対象機器との間で接点信号を送受信するための接続ケーブルを接続するためのコネクタが設けられていて、さらに、
前記ポートに設けられたコネクタの形状を、前記通信対象機器に設けられたコネクタの形状に変換するための変換コネクタを有すること
を特徴とする接点信号送受信装置。
【請求項７】
請求項６に記載の接点信号送受信装置であって、
前記変換コネクタは、前記ポートが有する複数の信号端子への接点信号のアサインを変更すること
を特徴とする接点信号送受信装置。
【請求項８】
請求項４に記載の接点信号送受信装置であって、
前記ポートには、前記通信対象機器との間で接点信号を送受信するための接続ケーブルを接続するためのコネクタが設けられていて、
前記コネクタには、前記接続ケーブルが接続されていて、
前記接続ケーブルは、前記ポートが有する複数の信号端子への接点信号のアサインを変更すること
を特徴とする接点信号送受信装置。
【発明の詳細な説明】
【技術分野】
【０００１】
本発明は、電気的に絶縁された設定制御のＩ／Ｆの技術に関する。
【背景技術】
【０００２】
送信側および受信側の装置間で伝達される信号として設定信号が知られている。この設定信号の伝達は、例えば、送信側装置に電源およびスイッチを設け、受信側装置に電球を置き、送信側装置と受信側装置とを２本のケーブル線で接続し、送信側装置のスイッチの開／閉により、受信側装置の電球を点燈或いは消灯させることにより行われる。接点信号の伝達に用いられるスイッチは、電気的に回路を開閉できるものであればよく、機械式のリレーやトランジスタ等が用いられる。また、上述の例では、回路の開閉を検知できるものとして電球を挙げて説明したが、ＬＥＤ（Light Emitting Diode）等が用いられることが多い。
【０００３】
従来の接点信号の送受信の技術には、受信装置側に電源を設ける方式において、
送信側装置および受信側装置の間の電流の向きを切り替える手法が知られている（例えば特許文献１）。特許文献１では、受信用電源方向切替部と、双方向の電流向きに対応した双方向電流検知部とを設けることで、電流の向きの切替えを実現している。
【０００４】
【特許文献１】特開平７−３６３６８号公報
【発明の開示】
【発明が解決しようとする課題】
【０００５】
ところで、接点信号で制御される制御対象機器の制御仕様（以下「接点制御仕様」という）には、種々のものがある。そのため、複数種の制御対象機器を制御する制御装置は、異なる種類の接点制御仕様を持つ制御対象機器に対応できるように構成されていることが望ましい。例えば、接点制御仕様により、入力端子および出力端子の内訳が異なる場合があるため、入力端子および出力端子の内訳が異なる接点制御仕様に対応できるよう構成されていることが求められる。
【０００６】
また、接点信号により高信頼な制御を行う場合、接点信号の回路は、ある程度高い電圧のものが要求される。そのため、接点信号の送受信を行う回路の電圧は、制御用のマイコンなどに印加する電圧より高くなる。したがって、マイコン等の内部の素子を保護するために接点信号は、フォトカプラ等により内部の回路と絶縁されていることが必要になる。
【０００７】
上記特許文献１の技術は、接点信号を内部の回路と絶縁すること、および、電源が受信側に設けられている場合の電流の方向を切り替えることについては考慮されている。しかしながら、上記特許文献１の技術は、入力端子および出力端子の内訳が異なる制御仕様に対応するための手法について考慮されていない。なお、１つの端子の入出力を切り替える手法として、マイコンなどのＩ／Ｏピンで入力（ＤＩ）、出力（ＤＯ）を切り替えるものがある。しかし、この方法では、接点信号が絶縁されていないため、マイコンの電圧と異なる電圧で接点信号を送受信することができない。
【０００８】
本発明は、上記事情に鑑みてなされたものであり、本発明の目的は、絶縁素子で装置内部の回路と電気的に絶縁された、様々な接点制御仕様の信号の送受信を実現する設定制御Ｉ／Ｆを提供することにある。
【課題を解決するための手段】
【０００９】
上記課題を解決するため、本発明の一態様は、電気的に絶縁された接点信号の送受信を行う送受信部を有する接点信号送受信装置に適用される。
【００１０】
そして、接点信号送受信装置は、前記接点信号の送受信を行うための複数の信号端子が設けられていて、前記送受信部は、前記複数の信号端子の中の少なくとも１つの信号端子を、前記接点信号を入力するための入力用端子、および前記接点信号を出力するための出力用端子のいずれか一方に選択して設定する入出力切替手段を有する。
【発明の効果】
【００１１】
本発明によれば、電気的に絶縁された接点信号の送受信を行う送受信装置に、複数の信号端子の中の少なくとも１つの信号端子を入力用端子或いは出力用端子のいずれかに選択的に設定する手段を設けるようにしている。そのため、本発明によれば、電気的に絶縁された接点信号の送受信を行う送受信装置において、様々な接点制御仕様に対応した信号の送受信を実現する設定制御Ｉ／Ｆを提供することができる。
【発明を実施するための最良の形態】
【００１２】
以下、本発明の一実施形態が適用された制御装置について図面を用いて説明する。
【００１３】
図１は、本発明の一実施形態の制御装置を利用した制御システムの概略構成を説明するための図である。
【００１４】
図示するように、制御システムは、制御装置１００、制御装置１００に制御される電源制御対象機器２００ａ〜ｄ、コンソールサーバ３００、制御端末４００、およびモデム５００を有する。制御装置１００は、電源制御対象機器２００ａ〜ｄとケーブル１５０ａ〜ｄにより接続されている。また、制御装置１００および制御端末４００は、各々、ＬＡＮ（Local Area Network）２０に接続されている。制御端末４００は、ＬＡＮ２０とは別にモデム５００にも接続されている。モデム５００は、電話回線４０を介してコンソールサーバ３００に接続されている。また、制御装置１００とコンソールサーバ３００とは、シリアル（例えばＲＳ−２３２Ｃ）３０により接続されている。なお、本実施形態の説明では、電源制御対象機器２００ａ〜ｄを４台接続している場合を例示しているが、これは例示に過ぎない。電源制御対象機器２００は、少なくとも１台あればよい。
【００１５】
制御端末４００は、図示しない入力装置を介して利用者からの指示を受付けて、ＬＡＮ２０やシリアル（例えばＲＳ−２３２Ｃ）３０経由で制御装置１００に各種の指示（例えば、電源制御対象機器２００に対する制御指示）を行う。
【００１６】
具体的には、制御装置１００には、ＨＴＴＰ（HyperText Transfer Protocol）サーバとしての機能と、ＳＮＭＰ（Simple Network Management Protocol）エージェントとしての機能と、が設けられている。そして、制御装置１００は、ＨＴＴＰサーバとしての機能により、ＨＴＴＰクライアントとしての機能を有する制御端末４００とＬＡＮ２０を介して通信を行い利用者からの指示を受け付ける。また、制御装置１００は、ＳＮＭＰエージェントとしての機能により、ＳＮＭＰマネージャとしての機能を持つＮＭＳ（ネットワーク・マネージメント・システム）としての制御端末４００とＬＡＮ２０を介して通信を行い利用者からの指示を受付ける。
【００１７】
また、本実施形態では、制御端末４００は、電話回線４０およびコンソールサーバ３００を介して、シリアル３０経由で制御装置１００にアクセスすることもできる。すなわち、制御端末４００は、電話回線４０を経由して制御装置１００に各種の指示を行うことができる。
【００１８】
そして、制御装置１００は、制御端末４００からの指示を受付けて、４つの機器（電源制御対象機器２００ａ〜ｄ）に対して、個別に、或いは連動して、接点信号を利用した電源のＯＮ／ＯＦＦ等の制御を行なう。
【００１９】
ここで、本実施形態の制御装置１００が用いる接点信号について図１０および１１を用いて説明する。図１０は、送信側装置および受信側装置との間で行なわれる設定信号の送受信を説明するための図である。
【００２０】
図示するように、送信側に電源および３つのスイッチＳＷａ〜ｃが設けられている。受信側には、スイッチＳＷａの開閉により点滅する電球ａと、スイッチＳＷｂの開閉により点滅する電球ｂと、スイッチＳＷｃの開閉により点滅する電球ｃとが設けられている。
【００２１】
ところで、接点信号の送受信には、回路を流れる電流が往復するために少なくとも２本の線が必要になる。そして、複数の回路で接点信号を送受信する場合、それぞれの回路で必要な２本の線のうち１本を共通化することができる。図示する例では、受信側から送信側に戻る経路を、１本の線（common）に共通させている。この共通化させた線は、commonと呼ばれ、共通されなかった線は、信号線と呼ばれる。なお、送信側および受信側において、commonを接続する端子をcommon端子と呼ぶ。
【００２２】
図示する例では、送信側から受信側に向かう経路を３本の信号線ａ〜ｃで接続している。具体的には、送信側のスイッチＳＷａと受信側の電球ａとが信号線ａを介して接続され、送信側のスイッチＳＷｂと受信側の電球ｂとが信号線ｂを介して接続され、送信側のスイッチＳＷｃと受信側の電球ｃとが信号線ｃを介して接続されている。なお、受信側で信号線を接続する端子を入力端子と呼び、送信側で信号線と接続する端子を出力端子と呼ぶ。
【００２３】
そして、例えば、送信側のスイッチＳＷａを閉じれば、出力端子ａを介して電流が信号線ａを経由して受信側の電球ａに流れて、その電流がcommonを経由して送信側に戻る。また、例えば、送信側のスイッチＳＷｂを閉じれば、出力端子ｂを介して電流が信号線ｂを経由して受信側の電球ｂに流れ、その電流がcommonを経由して送信側に戻る。受信側では、スイッチＳＷａ〜ｃの開閉に対応して電球が点燈或いは消灯することで各種の指示を受付ける。
【００２４】
次に、図１１を用いて、電源を送信側装置に持たせる場合と、電源を受信側装置に持たせる場合の接点信号の送受信の方式について説明する。
【００２５】
図１１は、電源を受信側装置および送信側装置のいずれに持たせるか、および、電流の流れる方向により分類される４種類の接点信号の送受信の方式を示している。
【００２６】
図示する「番号１」に示す接点信号の送受信方式１は、受信装置側に電源が設けられ、commonから信号線に電流が流れる方式を示している。「番号２」に示す接点信号の送受信方式２は、受信装置側に電源が設けられ、信号線からcommonに電流が流れる方式を示している。「番号３」に示す接点信号の送受信方式３は、送信装置側に電源が設けられ、commonから信号線に電流が流れる方式を示している。「番号４」に示す接点信号の送受信方式４は、送信装置側に電源が設けられ、信号線からcommonに電流が流れる方式を示している。
【００２７】
図示する例では、上述した図１０で説明したスイッチおよび電球の代わりにフォトカプラを用いている。フォトカプラは、ＬＥＤとフォトトランジスタとを組合せた素子で、ＬＥＤの正方向に電流が流れるとＬＥＤが発行し、フォトトランジスタの正方向に電流が流れる。なお、図示する４つの方式により、commonと信号線に対して、ＬＥＤ、フォトトランジスタ、および電源をどの向きにおくのかが決る。このように電気信号を一旦光に変換することにより、ＬＥＤ側とフォトトランジスタ側で電気的な絶縁を行う。その結果、送信側装置および受信側装置の内部の制御用の素子（例えば、マイコン）を保護することができる。
【００２８】
ところで、２つの装置（例えば、装置Ａおよび装置Ｂの２つの装置）の間において、接点信号で通信を行う場合、装置Ａから装置Ｂ、或いは、装置Ｂから装置Ａに一方的に信号を送ることは少ない。装置Ａから装置Ｂへと、装置Ｂから装置Ａへの両方向で信号を送受信することが一般的である。この場合、装置Ａおよび装置Ｂは、いずれも送信側でもあり受信側でもある。そのため、装置Ａおよび装置Ｂは、複数の入力・出力端子を持つこととなる。
【００２９】
また、装置ＡからＢへの送受信の方式と、装置Ｂから装置Ａへの送受信の方式とが同じであるとは限らない。例えば、装置Ａから装置Ｂへの接点信号の送受信には、図示する「番号１」の送受信方式が採用され、装置Ｂから装置Ａへの接点信号の送受信には、図示する「番号３」の送受信方式を採用されることもある。この場合、電源は装置Ｂだけに持たせればよいこととなるため、装置Ａを小型化できる。
【００３０】
このように、接点信号の送受信には、上述した４つの送受信方式に分類することがきるため、制御装置が、４つの送受信方式に対応できるように構成されていることが望ましい。本実施形態の制御装置１００は、後述するが、４つの送受信方式に対応できるように構成されている。また、本実施形態の制御装置１００は、接点信号の送受信のための端子を選択的に入力用および出力用のいずれかに設定できるようにしている。したがって、本実施形態では、制御装置１００は、様々な接点制御仕様に対応することができる。
【００３１】
続いて、本実施形態の制御装置１００の外観および接点信号を送受信するためのポートの構成を説明する。図２は、本実施形態の制御装置１００、および、制御装置１００に接続するためのケーブル１５０の外観を例示した図である。
【００３２】
図示するように、制御装置１００は、電源制御装置２００ａ〜ｄとの間で接点信号を送受信するためのケーブル１５０を接続するためのポート１１０ａ〜１００ｄを有している。また、制御装置１００は、シリアル３０と接続するためのシリアル用ジャック１２０と、ＬＡＮ２０と接続するためのＬＡＮ用ジャック１３０とを有している。
【００３３】
ポート１００ａ〜ｄとケーブル１５０とは、例えば、Ｄ―ＳＵＢ９ピン等の比較的容易かつ安価に入手できる規格品（標準のＤ―ＳＵＢ９ピンのシリアルクロスケーブル等）を用いるようにすればよい。図示する例では、ポート１１０ａ〜１００ｄは、９つの端子（入力用端子、出力用端子、およびcommon端子）が設けられている。
【００３４】
また、ケーブル１５０は、そのままでは、電源制御機器２００ａ〜d側のコネクタと形状が異なる場合がある。そのような場合、図示するように、電源制御機器２００ａ〜ｄのコネクタ形状に対応させた変換コネクタ１６０を利用する。
【００３５】
ここで、変換コネクタ１６０の例を図１２に示す。図１２は、変換コネクタの一例を説明するための図である。図１２では、（ａ）図に変換コネクタ１６０の外観を示し、（ｂ）図に変換コネクタ１６０のコネクタ形状の外観を示し、（ｃ）図に変換コネクタ１６０のピン間の接続関係を示している。
【００３６】
図示するように、変換コネクタ１６０は、９つの端子（９ｐｉｎ）を持つコネクタ部１６１と、６つの端子（６ｐｉｎ）を持つコネクタ部１６２とを備えている。変換コネクタ１６０は、「９ｐｉｎ」から「６ｐｉｎ」へのピン数変換と、コネクタ形状の変換とを行う。なお、変換コネクタ１６０のコネクタのピン間の接続は、例えば、図１２（ｃ）に示すようにする。図１２（ｃ）では、「９ｐｉｎ」側の「端子１」を「６ｐｉｎ」側の「端子１」に接続し、「９ｐｉｎ」側の「端子３」を「６ｐｉｎ」側の「端子３」に接続し、「９ｐｉｎ」側の「端子５」を「６ｐｉｎ」側の「端子２」に接続し、「９ｐｉｎ」側の「端子６」を「６ｐｉｎ」側の「端子４」に接続し、「９ｐｉｎ」側の「端子８」を「６ｐｉｎ」側の「端子６」に接続し、「９ｐｉｎ」側の「端子９」を「６ｐｉｎ」側の「端子５」に接続している。なお、変換コネクタ１６０の「９ｐｉｎ」側の「端子２」、「端子４」、および「端子７」は、「６ｐｉｎ」側の端子に接続していない。そして、変換コネクタ１６０により、コネクタ形状だけでなく、ピン配置（各ピンをどのピンにアサインするのか）の変換も行うことができる。
【００３７】
なお、上記の説明では、変換コネクタ１６０でピン数およびコネクタ形状の変換を行う場合を説明したが、接続ケーブル１５０により、ピン数およびコネクタ形状の変換を行うようにしてもよい。さらに、この場合、接続ケーブル１５０が、ピン配置（各ピンをどのピンにアサインするのか）の変換も行うようにしてもよい。
【００３８】
ここで、ピン配置は、制御装置１００内部のマイコンが実行するソフトウェアで変更することも可能である。しかし、マイコンのソフトウェアでは、common端子のアサインまで変更することはできない（common端子のアサインは、物理的に接続を変える必要がある）。そのため、上述のように、変換コネクタ１６０（或いは変換ケーブル１５０）を利用することにより、common端子のアサインの変更を行うことが可能になる。
【００３９】
続いて、本実施形態の制御装置１００内のプリント基板の構成を説明する。図３は、本実施形態の制御装置１００が有するプリント基板のブロック図である。
【００４０】
図示するように、プリント基板は、商用の１００Ｖ電源を「±１２Ｖ」に変換する電源変換器１２００、各種の処理を行うマイコン１１００、ＩＳＯＩＮ１１１０ａ〜ｄ、ＩＳＯＯＵＴ１１２０ａ〜ｄ、ポート１１０ａ〜ｄ、ＲＳ−２３２Ｃドライバ１１３０、シリアル用入出力端子１２０、ＰＨＹ（フィジカル層）１１４０、パルストランス１１５０、およびＬＡＮ用入出力端子１３０を有する。
【００４１】
マイコン１１００は、ケーブル１５０（図１参照）を介して電源制御機器２００ａ〜ｄに対する制御処理を行う。電源変換器１２００は、商用の１００Ｖ電源を「±１２Ｖ」に変換し、その変換した電源を、接点信号の送受信処理を行うための電源としてＩＳＯＩＮ１１１０ａ〜ｄおよびＩＳＯＯＵＴ１１２０ａ〜ｄに供給する。ＩＳＯＩＮ１１１０ａ〜ｄおよびＩＳＯＯＵＴ１１２０ａ〜ｄは、それぞれ、入力・出力用のフォトカプラと、その周りの回路を含めた素子であり、接点信号の送受信処理を行う。そして、ＩＳＯＩＮ１１１０ａ〜ｄおよびＩＳＯＯＵＴ１１２０ａ〜ｄは、各ポート１１０ａ〜ｄの接点信号の入力信号群および出力信号群の端子に接続されている。そして、本実施形態では、後述する手法により、ポート毎に入力、出力の送受信方式を変更する。
【００４２】
さらに、マイコン１１００は、ＲＳ−２３２ドライバ１１３０を制御して、シリアル用入出力端子１２０を経由しての通信処理を行う。また、マイコン１１００は、ＰＨＹ１１４０およびパルストランス１１５０を制御して、ＬＡＮ用入出力端子１３０を経由しての通信処理を行う。
【００４３】
なお、マイコン１１００が行う上述の処理は、図示しないメモリに記憶されているプログラムをマイコン１１００が実行することにより実現される。
【００４４】
続いて、本実施形態の制御装置１００が電源制御対象機器２００に行う接点信号による制御の仕様について図４を用いて説明する。図４は、本実施形態の電源制御対象機器に対する制御仕様の一例を示した図である。
【００４５】
図示する例では、制御装置１００の出力信号として電源投入保持信号Ｓ１および電源投入指示信号Ｓ２を示し、制御装置１００の入力信号として電源投入完了信号Ｓ３を示している。
【００４６】
制御装置１００は、電源制御対象機器２００の電源を「ＯＮ」に設定する制御を行う際には、電源投入保持信号Ｓ１の出力を「ＯＮ」にした状態で電源投入指示信号Ｓ２の出力を「ＯＮ」にする。そして、電源投入保持信号Ｓ１が「ＯＮ」であり、かつ電源投入指示信号Ｓ２が「ＯＮ」の場合、電源制御対象機器２００側では電源の投入が開始される。電源制御対象機器２００は、電源投入が開始された際、電源投入完了信号Ｓ３を「ＯＮ」にする。
【００４７】
制御装置１００は、電源制御対象機器２００からの入力信号である電源投入信号Ｓ３が「ＯＮ」になった場合（電源制御対象機器２００が出力する電源投入信号Ｓ３が「ＯＮ」になった場合）、電源投入指示信号Ｓ２の出力を「ＯＦＦ」にする。
【００４８】
制御装置１００は、電源制御対象機器２００の電源を「ＯＦＦ」にする場合、電源投入保持信号Ｓ１を「ＯＦＦ」にする。電源制御対象機器２００は、電源投入保持信号Ｓ１が「ＯＦＦ」になると、電源切断処理を開始し、電源切断か完了した際に電源投入完了信号Ｓ３を「ＯＦＦ」にする。
【００４９】
なお、図示する例は、電源制御対象機器２００からの入力信号が１つである単純な制御を示しているが、これは例示に過ぎない。そして、このようなプロトコルによる通信が電源制御対象機器２００毎に行われる。
【００５０】
続いて、本実施形態の制御装置１００が有するポート１００で受付ける接点信号と、制御装置１００のマイコン１１００との関係について、図５および図６を用いて説明する。
【００５１】
図５は、本実施形態の制御装置１００のＩＳＯＩＮ１１１０或いはＩＳＯＯＵＴ１１２０と、マイコン１１００との関係を説明するための図である。
【００５２】
図示するように、ＩＳＯＩＮ１１１０（またはＩＳＯＯＵＴ１１２０）は、受信用電源有無・方向切替部２０００、送信用電源有無・方向切替部２１００、入出力切替部２２００、双方向電流検知部２３００、および双方向回路開閉部２４００を有する。
【００５３】
受信用電源有無・方向切替部２０００は、common端子（図５には図示しせず）を介して受信用commonに接続されている。そして、受信用電源有無・方向切替部２０００は、受信方式の選択を行なう。具体的には、受信用電源有無・方向切替部２０００は、電源が受信側（ここでは、制御装置１００側）にあるか、或いは送信側や外部などの受信側以外にあるかの選択と、電流の方向の選択とを行う。
【００５４】
送信用電源有無・方向切替部２１００は、common端子（図５には図示しせず）を介して送信用commonに接続されている。そして、送信用電源有無・方向切替部２１００は、送信方式の選択を行なう。具体的には、送信用電源有無・方向切替部２１００は、電源が送信側（ここでは、制御装置１００側）にあるか、あるいは受信側や外部などの送信側以外にあるかの選択と、電流の方向の選択とを行う。
【００５５】
また、ポート１１０の入出力端子毎に、入出力切替部２２００と、双方向電流検知部２３００と、双方向回路開閉部２４００とが設けられている。なお、以下の説明において、入出力端子とは、ポート１１０の端子の中で、common端子以外の端子をいう。
【００５６】
双方向電流検知部２３００は、接点信号側の双方向に流れる電流を検知するものであり、接点信号とマイコン１１００に接続される内部回路とを絶縁している。双方向回路開閉部２４００は、接点信号側に対して双方向に電流を流すものであり、接点信号とマイコン１１００に接続される内部回路とを絶縁している。
【００５７】
入出力切替部２２００は、入出力端子を介して信号線に接続されている。そして、入出力切替部２２００は、信号線を双方向電流検知部２３００に接続するか、双方向回路開閉部２４００に接続するかを切り替える。入出力切替部２２００が信号線を双方向電流検知部２３００に接続する場合、その信号線に接続されている入出力端子は、入力端子となる。入出力切替部２２００が信号線を双方向回路開閉部２４００に接続している場合には、その信号線に接続されている入出力端子は、出力端子となる。
【００５８】
双方向電流検知部２３００および双方向回路開閉部２４００は、それぞれ、入出力切替部２２００を介して、マイコン１１００のＩ／Ｏピンと信号線とを接続する。マイコン１１００のＩ／Ｏピンから見ると双方向電流検知部２３００からは入力のレベル信号が接続されていて、双方向回路開閉部２４００へは出力レベル信号が接続されていることとなる。Ｉ／Ｏピンは、入力用および出力用で１つずつ用意しても良いが、双方向電流検知部２３００および双方向電流開閉部２４００の２つの回路をうまく構成すれば、１つのＩ／ＯピンをＩ／Ｏ切替で共通して使うことができる。
【００５９】
図６は、本実施形態の制御装置が有するポートの接点信号の各端子に接続するＩＳＯＩＮ１１１０、或いはＩＳＯＯＵＴ１１２０と、制御装置内部のマイコン１１００のＩ／Ｏピン以外の範囲の回路を表したものある。
【００６０】
図示するように、本実施形態では、受信用電源有無・方向切替部２０００および送信用電源有無・方向切替部２１００の設定を、ジャンパピンで行う。なお、図示する例では、ジャンパピンにより、受信用電源有無・方向切替部２０００および送信用電源有無・方向切替部２１００の設定を行う場合を説明するがこれは例示に過ぎない。例えば、受信用電源有無・方向切替部２０００および送信用電源有無・方向切替部２１００の設定をジャンパピンに代えて、リード線やスイッチにより行うようにしてもよい。また、受信用電源有無・方向切替部２０００および送信用電源有無・方向切替部２１００の設定をマイコン１１００からの信号により設定するようにしてもよい。
【００６１】
さて、図示するように受信用電源有無・方向切替部２０００および送信用電源有無・方向切替部２１００には、それぞれ、３つの端子（ジャンパピン用端子）を左右２列に並べた端子群２００１が設けられている。具体的には、送信用電源有無・方向切替部２１００に端子群２００１ａが設けられていて、受信用電源有無・方向切替部２０００に端子群２００１ｂが設けられている。
【００６２】
そして、「右上」および「右中央」のジャンパピン用端子と、「左中央」および「左下」のジャンパピン用端子とをそれぞれ接続した場合、自分側に電源があり、かつ電流の向きがcommonから信号線に流れる設定となる。また、「右中央」および「右下」のジャンパピン用端子と、「左上」および「左中央」のジャンパピン用端子とをそれぞれ接続した場合、自分側に電源があり、かつ電流の向きが信号線からcommonに流れる設定となる。「左中央」および「右中央」のジャンパピン用端子を接続した場合、自分側に電源がない設定となる。
【００６３】
入出力切替部２２００は、信号線に接続している入出力端子を双方向電流検知部２３００および双方向回路開閉部２４００のいずれか一方に接続させる。具体的には、入出力切替部２２００は、入出力端子と接続されているジャンパピン用端子２２２０と、双方向電流検知部２３００に接続されているジャンパピン用端子２２１０と、双方向回路開閉部２４００に接続されているジャンパピン用端子２２３０とを有する。
【００６４】
そして、図示する例では、ジャンパピン用端子２２１０とジャンパピン用端子２２２０とを接続した場合、入出力端子が双方向電流検知部２３００に接続される。この場合、入出力端子は、入力用の端子となる。一方、ジャンパピン用端子２２３０とジャンパピン用端子２２２０とを接続した場合、入出力端子が双方向回路開閉部２４００に接続される。この場合、入出力端子は、出力用の端子となる。
【００６５】
なお、図示する例では、入出力切替部２２００の設定をジャンパピンにより行う場合を例示しているが、特にこれに限定されるものではない。入出力切替部２２００の設定も、上述した受信用電源有無・方向切替部２０００および送信用電源有無・方向切替部２１００と同様、リード線、スイッチ、或いはマイコン１１００により行うようにしてもよい。
【００６６】
また、双方向電流検知部２３００は、逆向きに２つのＬＥＤを並列に接続した形のフォトカプラを使用し、フォトトランジスタの接点出力をレベル信号に抵抗するため抵抗でＶｃｃ（３．３Ｖ）にプルアップしている。双方向回路開閉部２４００は、フォトリレーを使い双方向に電流を流せるようにしている。
【００６７】
このように構成された双方向電流検知部２３００および双方向回路開閉部２４００の、マイコンのＩ／Ｏピンに接続されるレベル信号は、１つのＩ／Ｏピンに共通して接続することができる。その結果、ポートの１つの入出力端子を入力用と出力用とに設定で使い分けることができる。
【００６８】
なお、本実施形態の制御装置１００では、ポート１１０に設けられた入出力端子の全てを入出切替えが可能な構成にする必要はない。入力用および出力用とも必要と思われる本数分は、予め入力専用端子および出力専用端子としておいてもよい。例えば、ポート１１０の端子のうち少なくとも１つの端子を入出力切替えが可能な構成にしておいて、その他の端子は、入力専用端子および出力専用端子としておいてもよい。
【００６９】
また、本実施形態では、上述した図６に示すように、受信用commonおよび送信用commonの両者を開にすることができるようにフォトリレーを噛ませている。このように構成することで、受信用commonおよび送信用commonの両者を開にすれば、全ての入出力信号を開にすることができる。
【００７０】
続いて、本実施形態の変形例について説明する。
【００７１】
図７は、上述した制御装置１００の入出力用切替部２２００をマイコン１１００のＩＯピンから設定するための回路構成を示した図である。このように構成してもジャンパピンによる場合と同様の効果を奏することができる。なお、受信用電源有無・方向切替部２０００および送信用電源有無・方向切替部２１００の設定についても同様にマイコン１１００のＩＯピンから設定するようにしてもよい。
【００７２】
図８は、図６で示した双方向電流検知部２３００が有する逆並列接続したフォトカプラと同様の機能を通常の極性を持ったフォトカプラで実現する場合の回路構成を示している。このように双方向電流検知部２３００の構成を変形しても上述と同様の作用効果を奏することができる。
【００７３】
また、図９は、図６で示した双方向回路開閉部２４００のフォトリレーを通常の極性を持ったフォトカプラで実現する場合の回路構成を示している。このように双方向回路開閉部２４００の構成を変形しても上述と同様の作用効果を奏することができる。
【００７４】
なお、本発明は、以上で説明した実施形態に限定されるものではなく、本発明の要旨の範囲内において種々の変形が可能である。例えば、本実施形態において、制御装置１００のポート１１０に接続するケーブル１５０により、信号端子（入出力端子、common端子）への接点信号のアサインの変更を行うようにしてもよい。
【図面の簡単な説明】
【００７５】
【図１】本発明の一実施形態の制御装置を利用した制御システムの概略構成を説明するための図である。
【図２】本発明の実施形態の制御装置１００および制御装置１００に接続するケーブル１５０の外観を例示した図である。
【図３】本発明の実施形態の制御装置１００が有するプリント基板のブロック図である。
【図４】本発明の実施形態の電源制御対象機器に対する制御仕様の一例を示した図である。
【図５】本発明の実施形態の制御装置１００のＩＳＯＩＮ１１１０或いはＩＳＯＯＵＴ１１２０と、マイコン１１００との関係を説明するための図である。
【図６】本発明の実施形態の制御装置が有するポートの接点信号の各端子に接続するＩＳＯＩＮ１１１０或いはＩＳＯＯＵＴ１１２０と、制御装置内部のマイコン１１００のＩ／Ｏピン以外の範囲の回路を表したものある。
【図７】本実施形態の制御装置１００の入出力用切替部２２００をマイコン１１００のＩＯピンから設定するための回路構成を示した図である。
【図８】本発明の実施形態の双方向電流検知部２３００が有する逆並列接続したフォトカプラと同様の機能を通常の極性を持ったフォトカプラで実現する場合の回路構成を説明するための図である。
【図９】本発明の実施形態の双方向回路開閉部２４００のフォトリレーを通常の極性を持ったフォトカプラで実現する場合の回路構成を説明するための図である。
【図１０】送信側装置および受信側装置との間で行なわれる設定信号の送受信を説明するための図である。
【図１１】接点信号の送受信の方式を説明するための図である。
【図１２】本発明の実施形態の変換コネクタの一例を説明するための図である。
【符号の説明】
【００７６】
２０…ＬＡＮ、３０…シリアル、４０…電話回線、１００…制御装置、１１０…ポート、１２０…シリアル用ジャック、１３０…ＬＡＮ用ジャック、１５０…ケーブル、１６０…変換コネクタ、２００…電源制御対象機器、３００…コンソールサーバ、４００…制御端末、５００…モデム、１１００…マイコン、１１１０…ＩＳＯＩＮ、１１２０…ＩＳＯＯＵＴ、１１３０…ＲＳ−２３２ドライバ、１１４０…ＰＨＹ、１１５０…パルストランス、１２００…電源変換器、２０００…受信用電源有無・方向切替部、２１００…送信用電源有無・方向切替部、２２００…入出力切替部、２３００…双方向電流検知部、２４００…双方向回路開閉部
【図１】
0004585959.tif 000002
【図２】
0004585959.tif 000003
【図３】
0004585959.tif 000004
【図４】
0004585959.tif 000005
【図５】
0004585959.tif 000006
【図６】
0004585959.tif 000007
【図７】
0004585959.tif 000008
【図８】
0004585959.tif 000009
【図９】
0004585959.tif 000010
【図１０】
0004585959.tif 000011
【図１１】
0004585959.tif 000012
【図１２】
0004585959.tif 000013